(57)【要約】【課題】原稿表面を照らす光源の光量の変化や原稿裏面の画像濃度の変化に応じて的確に裏写りを防止し、速い原稿搬送速度でも装置を大型化することなく、画質の高い原稿画像を読み取ることができる画像読取装置を提供する。【解決手段】画像処理装置１に、搬送経路に沿って搬送される原稿の表面画像を読み取るラインセンサ３３と、前記ラインセンサ３３による原稿の読取位置で前記原稿の裏面側に配置された調光部材３５と、前記読取位置より上流側で前記原稿の裏面濃度を検出する濃度検出部２５と、前記濃度検出部２５で検出された前記原稿の裏面濃度に基づいて前記調光部材３５の反射率を調整する反射率調整部３９を備える。【選択図】図１
2010161709.tif 000002
【特許請求の範囲】
【請求項１】
搬送経路に沿って搬送される原稿の表面画像を読み取るラインセンサと、前記ラインセンサによる原稿の読取位置で前記原稿の裏面側に配置された調光部材と、前記読取位置より上流側で前記原稿の裏面濃度を検出する濃度検出部と、前記濃度検出部で検出された前記原稿の裏面濃度に基づいて前記調光部材の反射率を調整する反射率調整部を備えている画像読取装置。
【請求項２】
前記調光部材が光の透過率を可変に調整可能な液晶調光ガラスと、前記液晶調光ガラスの背面に接合された黒色板で構成され、前記反射率調整部は、前記濃度検出部で検出された前記原稿の裏面濃度が高いほど前記液晶調光ガラスの透過率が大きくなるように調整する請求項１記載の画像読取装置。
【請求項３】
前記液晶調光ガラスが、複数の液晶セルがマトリクス状に配置され、各液晶セルが選択的に駆動されることにより、光の透過率が複数段階に調整可能に構成されている請求項２記載の画像読取装置。
【請求項４】
前記濃度検出部が前記原稿の裏面画像を読み取る密着型ラインセンサで構成され、前記反射率調整部は前記濃度検出部で検出された前記原稿の裏面の各位置に対応する濃度に基づいて、その位置が前記読取位置を通過する際の前記調光部材の反射率を調整する請求項１から３の何れかに記載の画像読取装置。
【請求項５】
請求項１から４の何れかに記載の画像読取装置であって、
前記ラインセンサと密着型ラインセンサを用いて、搬送経路に沿って搬送される原稿の表面画像及び裏面画像を同時に読取可能に構成され、
前記密着型ラインセンサを前記濃度検出部として用い、前記反射率調整部により前記調光部材の反射率を可変に調整して、前記原稿の表面画像を高精細に読み取る高精細読取モードと、
前記密着型ラインセンサを裏面画像を読み取るために用い、前記反射率調整部により前記調光部材の反射率を最小に調整して、前記原稿の表面画像及び裏面画像を同時に読み取る標準読取モードと、
が切替可能に構成されている画像読取装置。
【発明の詳細な説明】
【技術分野】
【０００１】
本発明は、搬送経路に沿って搬送される原稿の表面画像をラインセンサで読み取る画像読取装置に関する。
【背景技術】
【０００２】
ラインセンサで原稿から画像を読み取る画像読取装置では、レンズによる周辺部の光量低下や照明ムラなどによる画像のムラが読み取った画像に含まれ、シェーディング補正により当該画像のムラが補正される。シェーディング補正を行なうには白基準データが必要であり、当該白基準データは、原稿読取位置に配置された白色板を用いて、原稿読取位置に原稿がないとき（例えば原稿間など）に生成される。原稿表面を照らす光源（例えばキセノンランプなど）は光量が安定するまで時間を要するので、特に、電源投入時などで光源の出力が不安定なときには、光量に応じてシェーディング補正用のデータを更新する必要がある。
【０００３】
ところで、従来、スキャナなどの画像読取装置で、両面印字された原稿の表面から画像を読み取るとき、読み取った画像に裏面画像が透けて混入する所謂「裏写り」が生じることがある。裏写りは原稿表面側からの透過光が原稿裏面側から再び原稿を透過してラインセンサに入光することで生じる。そのため、原稿表面側からの透過光を吸収する黒色板を原稿裏面側に設置することで、裏写りを効果的に防止することができる。
【０００４】
つまり、正確なシェーディング補正を実行し、且つ、裏写りも効果的に防止するためには、原稿間などで原稿読み取りを行なわないときには原稿読取位置に白色板を設置し、原稿読み取り時には原稿読取位置に黒色板を設置する必要がある。
【０００５】
そこで、特許文献１には、原稿押さえ手段によって原稿を押さえ、当該押さえられた原稿を原稿読み取り手段によって読み取るように構成され、前記原稿押さえ手段に少なくとも二つの光反射率の異なる原稿読み取り領域を設定するとともに当該原稿読み取り領域を切り替える手段を設け、原稿の種類に応じて前記原稿読み取り領域を切り替えて原稿を読み取ることを特徴とする画像処理装置が開示されている。
【０００６】
特許文献１に開示された画像処理装置では、二つの光反射率の異なる原稿読み取り領域に該当する黒色板と白色板を、原稿読み取り領域を切り替える手段により切り替えることができる。従って、原稿画像読み取り時には黒色板を、原稿間では白色板を、夫々原稿読み取り位置に設置することができ、光源の光量に応じたシェーディング補正用のデータを取得しつつ、裏写りを効果的に防止することができる。
【先行技術文献】
【特許文献】
【０００７】
【特許文献１】特開平９−２４７３７８号公報
【発明の概要】
【発明が解決しようとする課題】
【０００８】
特許文献１に開示された画像読取装置の原稿読み取り領域を切り替える手段は、原稿読み取り領域を物理的に切り替える切替機構を備えている。そのため、切替機構を設置するスペースが必要であり、機器を小型化する上で改善の余地があった。
【０００９】
また、例えば、光源の光量が安定していない状態で、複数の原稿から原稿画像を高速に読み取る場合などには、原稿間でシェーディング補正用のデータを取得する必要があり、切替機構により原稿読み取り領域を高速に切り替えなければならず、高速化や信頼性の点で改善の余地があった。
【００１０】
さらに、黒色板は原稿表面からの反射光も吸収するため、ラインセンサに入光する当該反射光の光量も減少し、原稿の裏面濃度によっては、裏写り防止というメリットよりも、原稿表面画像の地肌の彩度低下というデメリットが大きくなる場合がある。
【００１１】
本発明の目的は、上述の問題に鑑み、原稿表面を照らす光源の光量の変化や原稿裏面の画像濃度の変化に応じて的確に裏写りを防止し、速い原稿搬送速度でも装置を大型化することなく、画質の高い原稿画像を読み取ることができる画像読取装置を提供する点にある。
【課題を解決するための手段】
【００１２】
上述の目的を達成するため、本発明による画像読取装置の第一の特徴構成は、特許請求の範囲の書類の請求項１に記載したとおり、搬送経路に沿って搬送される原稿の表面画像を読み取るラインセンサと、前記ラインセンサによる原稿の読取位置で前記原稿の裏面側に配置された調光部材と、前記読取位置より上流側で前記原稿の裏面濃度を検出する濃度検出部と、前記濃度検出部で検出された前記原稿の裏面濃度に基づいて前記調光部材の反射率を調整する反射率調整部を備えている点にある。
【００１３】
裏写りは、入光した光の強弱（光量）に基づいて画像を読み取るラインセンサに、原稿裏面側から原稿を透過した光が入光することで生じる。上述の構成によれば、調光部材で反射された光が裏写りの要因となるが、濃度検出部で検出された裏面濃度に基づいて反射率調整部により調光部材の反射率が調整されて当該光の光量が変化するので、裏写りが効果的に抑制される。
【００１４】
同第二の特徴構成は、同請求項２に記載したとおり、第一の特徴構成に加えて、前記調光部材が光の透過率を可変に調整可能な液晶調光ガラスと、前記液晶調光ガラスの背面に接合された黒色板で構成され、前記反射率調整部は、前記濃度検出部で検出された前記原稿の裏面濃度が高いほど前記液晶調光ガラスの透過率が大きくなるように調整する点にある。
【００１５】
液晶調光ガラスの透過率が大きくなると、原稿表面側からの透過光の大部分が黒色板で吸収されるので調光部材の反射率は小さくなる。つまり、濃度検出部で検出された原稿の裏面濃度が高くて裏写りしやすい原稿ほど、原稿裏面側からの反射光が減少するため、裏写りが効果的に防止される。
【００１６】
同第三の特徴構成は、同請求項３に記載したとおり、第二の特徴構成に加えて、前記液晶調光ガラスが、複数の液晶セルがマトリクス状に配置され、各液晶セルが選択的に駆動されることにより、光の透過率が複数段階に調整可能に構成されている点にある。
【００１７】
液晶調光ガラスの光の透過率が大きくなって調光部材の反射率が小さくなると、原稿表面で反射するはずの光も黒色板に吸収され、原稿表面から読み取る画像の地肌色の再現性が低下する。上述の構成によれば、液晶調光ガラスの光の透過率を複数段階に調整して調光部材の反射率を複数段階に調整することで、裏写りを防止しつつ、原稿表面の地肌色の再現性の低下も防止することができる。
【００１８】
同第四の特徴構成は、同請求項４に記載したとおり、第一から第三の何れかの特徴構成に加えて、前記濃度検出部が前記原稿の裏面画像を読み取る密着型ラインセンサで構成され、前記反射率調整部は前記濃度検出部で検出された前記原稿の裏面の各位置に対応する濃度に基づいて、その位置が前記読取位置を通過する際の前記調光部材の反射率を調整する点にある。
【００１９】
既存の密着型ラインセンサが濃度検出部となるので、濃度検出部を構成する部材を新たに設置する必要がなく、設置スペースの節約を図り、部材コストの増加を防止することができる。
【００２０】
また、原稿の裏面画像が濃度の異なる複数の領域で構成されていても、調光部材の反射率を領域毎に調整することができるので、裏写りの防止の精度及び原稿表面の地肌色の再現性の精度を高めることができる。
【００２１】
同第五の特徴構成は、同請求項５に記載したとおり、第一から第四の何れかの特徴構成を備えた画像読取装置であって、前記ラインセンサと密着型ラインセンサを用いて、搬送経路に沿って搬送される原稿の表面画像及び裏面画像を同時に読取可能に構成され、前記密着型ラインセンサを前記濃度検出部として用い、前記反射率調整部により前記調光部材の反射率を可変に調整して、前記原稿の表面画像を高精細に読み取る高精細読取モードと、前記密着型ラインセンサを裏面画像を読み取るために用い、前記反射率調整部により前記調光部材の反射率を最小に調整して、前記原稿の表面画像及び裏面画像を同時に読み取る標準読取モードと、が切替可能に構成されている点にある。
【００２２】
裏写りが許容される原稿と許容されない原稿によって生産性と品質の何れを優先するかを選択し、モードを切り替えて原稿画像を読み取ることができる。
【発明の効果】
【００２３】
以上説明したとおり、本発明によれば、原稿表面を照らす光源の光量の変化や原稿裏面の画像濃度の変化に応じて的確に裏写りを防止し、速い原稿搬送速度でも装置を大型化することなく、画質の高い原稿画像を読み取ることができる画像読取装置を提供することができるようになった。
【図面の簡単な説明】
【００２４】
【図１】画像読取装置の説明図
【図２】（ａ）から（ｃ）は、調光部材の正面の色の説明図
【図３】反射率調整部の動作を説明するフローチャート
【図４】（ａ）及び（ｂ）は、調光部材の透過率の説明図
【図５】別実施形態での画像読取装置の説明図
【図６】別実施形態での画像読取装置の説明図
【発明を実施するための形態】
【００２５】
以下、本発明による画像読取装置について説明する。
【００２６】
図１に示すように、画像読取装置１は、自動原稿送り装置（以下、「ＡＤＦ」と記載する。）２と、本体３で構成され、本体３に備えられた制御部３８により制御される。ＡＤＦ２により搬送される原稿から表面画像を読み取るシートスルーモードと、プラテンガラス３４ｂに載置した原稿から表面画像を読み取るフラットベッドモードの何れかの画像読み取りモードで原稿画像を読み取るように構成されている。
【００２７】
ＡＤＦ２では、原稿載置部２０にフェイスアップで載置された原稿をピックアップローラ２１がピックアップし、分離ローラ２２が重送を防止しつつ原稿搬送経路に当該原稿を１枚ずつ送り出す。上流側に設置された原稿の有無を検出する原稿センサ２３の出力信号に基づいて、レジストローラ２４が給紙タイミングを調整し、排紙ローラ２６が当該原稿を排紙部２７に排紙する。
【００２８】
本体３では、例えばキセノンランプなどの光源３０が原稿読取位置にある原稿の表面を照らし、複数のミラー３１（３１ａ、３１ｂ、３１ｃ）と集光レンズ３２が原稿表面からの反射光をＣＣＤラインセンサ（以下、「ＣＣＤ」と記載する。）３３に入光する。
【００２９】
光源３０とミラー３１は、シートスルーモードでは、所定位置に固定される。このとき光源３０は、ＡＤＦ２により搬送経路を搬送されてプラテンガラス３４ａの原稿読取位置にある原稿の表面を照らす。フラットベッドモードでは、原稿副走査方向に夫々所定の速度で移動し、このとき光源３０は、プラテンガラス３４ｂの原稿読取位置にある原稿の表面を照らす。
【００３０】
ＣＣＤ３３は、ＡＤＦ２により搬送経路に沿って搬送される原稿の表面画像を読み取る本発明のラインセンサである。ＣＣＤ３３は、原稿表面からの反射光の強弱（光量）から原稿の表面画像を読み取る。ＣＣＤ３３から出力された当該表面画像を示すアナログ信号は、Ａ／Ｄ変換により画像データに変換され、当該画像データはシェーディング補正されて出力される。なお、当該Ａ／Ｄ変換やシェーディング補正はＣＣＤ３３の周辺回路などで行ってもよく、制御部３８で行ってもよい。
【００３１】
制御部３８は、ＣＰＵとＣＰＵの動作プログラムを格納したＲＯＭとＣＰＵの作業領域であるＲＡＭと周辺回路を備えた基板でなる。制御部３８は、不図示の操作部を介して設定された画像読み取りモードに基づいて、ＡＤＦ２及び本体３の各部を制御して、原稿の画像読み取り動作を制御する。
【００３２】
画像処理装置１は、シートスルーモードで原稿から画像読み取りを行なうことで、読み取った画像に裏写りが生じないように構成されている。
【００３３】
以下に詳述する。画像処理装置１は、ＣＣＤ３３による原稿の読取位置で原稿の裏面側に配置された調光部材３５と、ＣＣＤ３３による原稿の読取位置より上流側で原稿の裏面濃度を検出する密着型ラインセンサ（以下、「ＣＩＳ」と記載する。）２５と、ＣＩＳ２５で検出された原稿の裏面濃度に基づいて調光部材３５の反射率を調整する反射率調整部３９を備えている。
【００３４】
調光部材３５は、光の透過率を可変に調整可能な液晶調光ガラス３６と、液晶調光ガラス３６の背面に接合された黒色板３７で構成されている。液晶調光ガラス３６には、複数の液晶セルがマトリクス状に配置されている。各液晶セルが選択的に駆動されることにより、液晶調光ガラス３６の光の透過率が複数段階に調整可能に構成されている。
【００３５】
なお、当該液晶調光ガラス３６として、例えば、旭硝子株式会社の「トランスマート（仮称）」を用いることができる。当該製品は、通常は窓ガラスと同等の透過性を持ち、電圧を印加することで瞬時にすりガラス状に変化するものである。
【００３６】
ＣＩＳ２５は、本発明の濃度検出部であり、原稿の裏面全エリアの光量を検出して平均光量を算出し、当該平均光量に基づいて原稿の裏面濃度を検出する。なお、平均光量の算出及び濃度の検出はＣＩＳ２５を制御するマイクロコンピュータ（不図示）によって行なわれるが、制御部３８で行なってもよい。
【００３７】
また、ＣＩＳ２５は、原稿画像がカラー画像であれば輝度に基づいて、白黒画像であれば黒の濃度に基づいて原稿裏面の濃度を検出する。当該マイクロコンピュータ及びＣＩＳ２５の駆動回路などの周辺回路を含めてＣＩＳ２５として説明している。
【００３８】
反射率調整部３９は、動作プログラムを実行するＣＰＵと周辺回路の一つである液晶セルの駆動回路の協働により制御部３８に具現化される機能ブロックである。反射率調整部３９は、液晶調光ガラス３６の各液晶セルを選択的に駆動して、液晶調光ガラス３６の光の透過率を複数段階に調整する。ＣＩＳ２５で検出された原稿の裏面濃度が高いほど液晶調光ガラス３６の透過率が大きくなるように調整する。
【００３９】
駆動していない液晶セルは光を透過させる。そのため、全ての液晶セルが駆動していなければ液晶調光ガラス３６の透過率は最大となり液晶調光ガラス３６に入光する光は黒色板３７で吸収され、図２（ａ）に示すように、調光部材３５の正面は黒色となる。このとき調光部材３５の反射率は最小となる。なお、調光部材３５の正面とは、原稿裏面に対する側の面である。
【００４０】
ＣＩＳ２５で検出された原稿の裏面濃度が高く、裏写りが生じる可能性が高ければ、反射率調整部３９は調光部材３５の反射率を最小に調整して原稿表面側から原稿を透過した光を黒色板３７で吸収させる。このようにして、原稿裏面側から原稿を透過する光がＣＣＤ３３に入光することを防止し、裏写りが防止される。
【００４１】
駆動している液晶セルは光を遮断する。そのため、全ての液晶セルが駆動しているときの液晶調光ガラス３６の透過率は最小となり液晶調光ガラス３６に入光する光が反射して、図２（ｂ）に示すように、調光部材３５の正面は白色となる。このとき調光部材３５の反射率は最大となる。
【００４２】
ＣＩＳ２５で検出された原稿の裏面濃度が低く、裏写りが生じる可能性がなければ、反射率調整部３９は調光部材３５の反射率を最大に調整して、原稿表面側から原稿を透過した光を調光部材３５で原稿裏面側に反射させる。原稿表面で反射する光は調光部材３５で吸収されずに反射されるので、原稿の表面画像の地肌色の再現性が確保される。なお、このときの調光部材３５は、シェーディング補正用の白基準データの生成にも用いることができる。
【００４３】
いくつかの液晶セルが駆動しているとき、液晶調光ガラス３６の透過率は駆動した液晶セルの個数によって変化する。例えば、液晶調光ガラス３７が備えている全ての液晶セルの半数を千鳥状に駆動すると、図２（ｃ）に示すように、調光部材３５の正面は白と黒が半数ずつ配置された千鳥模様となる。
【００４４】
駆動する（駆動しない）液晶セルの個数を調整することで、調光部材３５の白色の部分と黒色の部分の割合を調整することができる。つまり、調光部材３５の正面の色を所望のハーフトーンに調整することができ、即ち、調光部材３５の光の反射率を所望の値に調整することができる。
【００４５】
ＣＩＳ２５で検出された原稿の裏面濃度がハーフトーンを示す場合、反射率調整部３９は調光部材３５の正面の色を当該裏面濃度に対応するハーフトーンに調整して原稿表面側から原稿を透過した光を当該裏面濃度に対応する光量だけ原稿裏面側に反射させる。
【００４６】
ここで、各裏面濃度に対して駆動すべき液晶セルは、例えば、実験などを通じて面積階調法などに基づいて求めることができる。当該実験に基づいて、複数段階に区分された裏面濃度と、各段階毎で駆動すべき液晶セルを示す結果データが求められ、当該結果データが制御部３８のＲＯＭに格納されている。
【００４７】
反射率調整部３９は当該ＲＯＭを参照して駆動する液晶セルを選択し、選択した液晶セルを駆動して調光部材３５の正面の色を裏面濃度に対応するハーフトーンに調整する。このようにして、裏写りが防止され、且つ、原稿の表面画像の地肌色の再現性が確保される。
【００４８】
以下、図３に示すフローチャートを用いて、シートスルーモードに設定した画像読取装置１で、原稿から画像を読み取る際の反射率調整部３９の動作を説明する。
【００４９】
操作部でシートスルーモードが設定されて画像読取開始操作が行われると、制御部３８はＡＤＦ２及び本体３を制御して画像読取動作を開始する（Ｓ１）。ＣＩＳ２５は原稿の裏面濃度を検出し（Ｓ２）、当該裏面濃度を反射率調整部３９に入力する。
【００５０】
反射率調整部３９は、当該レジストローラ２４の駆動タイミングに基づいて、読取位置に原稿が存在する時間（読取位置を原稿後端が通過する時間から原稿先端が到着する時間の差から求まる時間）を算出する。ＣＩＳ２５により検出された裏面濃度に基づいて、駆動する液晶セルを選択する（Ｓ３）。
【００５１】
反射率調整部３９は、読取位置に原稿があるときに（Ｓ４）、選択した液晶セルを駆動して、調光部材３５の反射率を裏面濃度に応じたものに調整する（Ｓ５）。読取位置に原稿がないとき（原稿間）には（Ｓ４）、白基準データを生成することができるように調光部材３５の反射率を最大に調整する（Ｓ７）。
【００５２】
画像読み取りをする原稿が残っていれば（Ｓ６）、ステップＳ２からの動作を繰り返し、全原稿の画像読み取りが完了すれば（Ｓ７）、停止する。
【００５３】
上述の説明では、ＣＩＳ２５は、原稿の裏面全エリアの光量を検出して平均光量を算出し、当該平均光量に基づいて原稿の裏面濃度を検出するものとしたが、原稿の裏面を複数の領域に区分し、各領域毎に裏面画像の濃度を求めるものであってもよい。
【００５４】
このとき、反射率調整部３９は、ＣＩＳ２５で検出された原稿の裏面の各位置（領域）に対応する濃度に基づいて、その位置が読取位置を通過する際の調光部材３５の反射率を調整するものであってもよい。なお、反射率調整部３９は、位置（領域）毎に駆動する液晶セルを選択し、選択した液晶セルを駆動して調光部材３５の反射率を調整する。
【００５５】
ここで、液晶調光ガラス３６の光の透過率は、図４（ａ）に示すように、印加電圧に対してステップ状に変化するものであってもよく、図４（ｂ）に示すように、印加電圧に対して連続的に変化するものであってもよい。なお、図４（ａ）、図４（ｂ）では、印加電圧が高くなるほど光の透過率が高くなるものとしたが、当該透過率が低くなるものであってもよいことは言うまでもない。
【００５６】
これらの場合、調光部材３５の反射率を、面積階調法ではなく、印加電圧の値によって調整することができ、且つ、液晶セル単位で透過率を細かく調整（液晶セル単位でハーフトーン調整）することができる。従って、裏面濃度に対する調光部材３５の反射率をより適した値に調整することができる。
【００５７】
上述の説明では、本発明の濃度検出部としてＣＩＳ２５を用いるものとしたが、例えば、反射型フォトセンサを用いてもよい。この場合、当該反射型フォトセンサを原稿主走査方向に少なくとも一列配置することが望ましく、当該構成を採用することで、搬送経路を搬送される原稿の全ての領域から裏面濃度を検出することができる。
【００５８】
但し、例えば、原稿搬送方向に対して原稿中央近傍の濃度を検出することができるように反射型フォトセンサを配置し、当該反射型フォトセンサが検出した濃度を裏面濃度として採用するものであってもよい。
【００５９】
以下に、別実施形態の画像読取装置について説明する。
【００６０】
上述の実施形態では、原稿の表面から画像を読み取るように構成されている画像読取装置１について説明したが、本発明は、原稿の表面画像と同時に裏面画像を読み取ることができるように構成されている画像読取装置についても適用可能である。以下に説明する。
【００６１】
画像読取装置４では、上述の実施形態で説明した画像読取装置１の濃度検出部であるＣＩＳ２５が、原稿の裏面画像の読み取りに兼用されている。図５に示すように、搬送経路を挟んだＣＩＳ２５の対面にはＣＩＳ２５用の白基準データを生成する際に用いる白色ローラ２８が配置されている。なお、画像読取装置４が備えている部品で画像読取装置１が備えている部品と同様の機能を有するものには、夫々同一の番号を付与している。
【００６２】
画像読取装置４は、原稿の表面画像のみを読み取る片面読み取りモードと、ＡＤＦ２で搬送経路に沿って搬送される原稿の表面画像及び裏面画像を同時に読み取る両面読み取りモードの何れかの画像読み取りモードで原稿画像を読み取るように構成されている。
【００６３】
片面読み取りモードでは、ＡＤＦ２により搬送される原稿から表面画像を読み取るシートスルーモードと、プラテンガラス３４ｂに載置した原稿から表面画像を読み取るフラットベッドモードの何れかの画像読み取りモードで原稿画像を読み取ることができる。制御部３８は、操作部の操作に基づいて、画像読み取りモードを何れかのモードに切り替えて画像読み取りを実行する。
【００６４】
本発明の高精細読取モードであるシートスルーモードでは、ＣＩＳ２５は濃度検出部として用いられ、反射率調整部３９は調光部材３５の反射率を可変に調整する。したがって、裏面画像の裏写りを防止して、原稿の表面画像を高精細に読み取ることができる。
【００６５】
本発明の標準読取モードであるフラットベッドモードでは、ＣＩＳ２５は裏面画像を読み取るために用いられ、反射率調整部３９は調光部材３５の反射率を最小に調整する。したがって、原稿の表面画像及び裏面画像を同時に読み取ることができ、シートスルーモードに対して生産性を向上することができる。
【００６６】
以下、原稿の天地を反転する反転機構を備えた画像読取装置について説明する。図６に示すように、画像読取装置５は、搬送経路切替爪２９ａと搬送経路切替爪２９ｂと反転用トレイ２９ｃなどの反転機構２９を備えている。
【００６７】
画像読取装置５は、画像読取装置４と同様に、原稿の表面画像のみを読み取る片面読み取りモードと、ＡＤＦ２で搬送経路に沿って搬送される原稿の表面画像及び裏面画像を同時に読み取る両面読み取りモードの何れかの画像読み取りモードで原稿画像を読み取るように構成されている。
【００６８】
片面読み取りモードでは、プラテンガラス３４ｂに載置した原稿から表面画像を読み取るフラットベッドモードと、ＡＤＦ２により搬送される原稿から表面画像を読み取る片面読みシートスルーモードの何れかの画像読み取りモードで原稿画像を読み取ることができる。
【００６９】
片面読みシートスルーモードでは、ＣＩＳ２５を濃度検出部として用いて表面画像を高精度で読み取る高精度片面読みシースルーモードと、ＣＩＳ２５を停止して表面画像を読み取る通常片面読みシースルーモードの何れかの画像読み取りモードで原稿画像を読み取ることができる。
【００７０】
両面読み取りモードでは、ＣＩＳ２５を濃度検出部として用い、ＡＤＦ２により搬送される原稿から表面画像を読み取ったあと、反転機構２９で原稿の天地を反転し、再びＡＤＦ２により搬送される原稿から裏面画像を読み取る高精度両面読みシートスルーモードと、反射率調整部３９が調光部材３５の反射率を最小に調整し、原稿の表面画像及び裏面画像を同時に読み取る通常両面読みシートスルーモードの何れかの画像読み取りモードで原稿画像を読み取ることができる。
【００７１】
制御部３８は、操作部の操作に基づいて、画像読み取りモードを何れかのモードに切り替えて画像読み取りを実行する。
【００７２】
上述の実施形態では、本発明を適用した画像読取装置１、４、５について説明したが、本発明は画像読取装置単体にしか適用できないものではない。つまり、複写機や所謂複合機などが備えるスキャナに本発明を適用することができる。
【００７３】
上述の実施形態は何れも本発明の一実施例に過ぎず、当該記載により本発明の範囲が限定されるものではなく、各部の具体的構成は本発明による作用効果を奏する範囲において適宜変更することができることは言うまでもない。
【符号の説明】
【００７４】
１：画像読取装置
２：自動原稿送り装置（ＡＤＦ）
３：本体
２５：濃度検出部（密着型ラインセンサ：ＣＩＳ）
３３：ラインセンサ（ＣＣＤ）
３５：調光部材
３６：液晶調光ガラス
３７：黒色板
３９：反射率調整部
【図１】
2010161709.tif 000003
【図２】
2010161709.tif 000004
【図３】
2010161709.tif 000005
【図４】
2010161709.tif 000006
【図５】
2010161709.tif 000007
【図６】
2010161709.tif 000008